【事件の表示】
　特願２００９−５２１９７２「デュアルデジタルカメラセンサを備えたモバイルデバイス及び使用方法」拒絶査定不服審判事件〔平成２０年　１月３１日国際公開、ＷＯ２００８／０１４３０１、平成２１年１２月１７日国内公表、特表２００９−５４５２５６〕について、次のとおり審決する。
【結　論】
　本件審判の請求は、成り立たない。
【理　由】
１．手続の経緯
　本願は、平成１９年７月２５日の出願（優先権主張２００６年７月２５日、米国）であって、平成２３年８月２６日付で拒絶の理由が通知され、平成２４年２月１４日付で意見書及び手続補正書が提出されたものの、平成２４年５月２５日付で拒絶査定がなされたものである。
　本件は、上記拒絶査定を不服として平成２４年９月６日に請求された拒絶査定不服審判である。
　
２．本願発明
　本願の特許請求の範囲の請求項１０に係る発明（以下「本願発明」という。）は、本願の明細書、特許請求の範囲及び図面の記載からみて以下のものと認める。
　
「電子モバイルデバイスであって、
　画像取得のための前記電子モバイルデバイス内の第１の手段と、
　画像取得のための前記電子モバイルデバイス内の第２の手段と、ここにおいて、前記第２の手段は、前記第１の手段から第１の距離に配置されており、前記第２の手段は、前記第１の手段から第２の距離に配置されるように、前記第１の手段に対する位置を変更するように構成され、ここにおいて、前記第１の距離は前記第２の距離とは異なり、前記第２の
手段
　前記第１の手段に対する前記第２の手段の位置の変更を制御する手段と、
　前記第１の手段によって取得された第１の画像と、前記第２の手段によって取得された第２の画像とを処理し合成する手段と
を備える電子モバイルデバイス」
　
　なお、請求項１０には「前記第２の
画像センサ
画像センサ
手段
　
３．引用発明
　これに対して、原査定の拒絶の理由に引用された特開平１１−３５５６２４号公報（以下「引用例」という。）には図面と共に以下の記載がある。
　
「【０００１】
【発明の属する技術分野】本発明は撮影装置に係り、特に立体映像やパノラマ画像の撮影が可能で、且つ携帯に適した撮影装置に関する。」
「【０００７】
【発明の実施の形態】以下添付図面に従って本発明に係る撮影装置の好ましい実施の形態について詳説する。図１には本発明の実施の形態に係る撮影装置が示され、この撮影装置１０は、単体でカメラとして機能する第１の撮影ユニット（主カメラ）１２と、この第１の撮影ユニット１２に着脱自在に連結可能な第２の撮影ユニット１４と、から成る。第１の撮影ユニット１２は、本体正面に撮影レンズ１６、ファインダ窓１７、及びストロボ１８が設けられ、本体上部にレリーズボタン２０が配設される。撮影レンズ１６の後方には図示せぬ固体撮像素子（ＣＣＤ）が配置されており、撮影レンズ１６を介してＣＣＤの受光面に結像された画像光は、ＣＣＤによってその光量に応じた量の信号電荷に変換され、図示せぬＣＣＤ駆動回路から加えられる駆動パルスに基づいて画像信号として読み出される。ＣＣＤの画素数は、希望する画質との関係で適正なものを選択する必要があるが、３５万画素以上のものが好ましい。なお、撮像手段はＣＣＤに限らず、ＭＯＳ型、ＣＩＤ型その他の方式の撮像素子でもよい。
【０００８】また、図１上で第１の撮影ユニット１２の右側面には、外部記憶装置用のスロット２２（情報伝達手段、情報送受部に相当）が形成されると共に、該スロット２２を挟んで上下に第２の撮影ユニット１４を連結するためのジョイント穴２４、２４（連結部に相当）が形成されている。なお、外部記憶装置２６は、ＰＣカード、スマートメディア（イメージメモリーカード）、フラッシュメモリーカード、ＩＣカードなど、様々な形態が可能である。」
「【０００９】第２の撮影ユニット１４は、第１の撮影ユニット１２と同一仕様の撮影レンズ２８が設けられ、第１の撮影ユニット１２と同様にレンズの後方に固体撮像素子（ＣＣＤ）が配置される。第２の撮影ユニット１４の左側面には、第１の撮影ユニット１２のスロット２２に適合した形状を有するコネクタ３０（情報伝達手段、第２の情報送受部に相当）と、該コネクタ３０を挟んで上下にジョイント（係合手段に相当）３２、３２が設けられ、コネクタ３０及びジョイント３２、３２を介して第２の撮影ユニット１４を第１の撮影ユニット１２に着脱できる構造となっている。」
「【００１６】図３は、本実施の形態に係る撮影装置の構成を示すブロック図である。図３中上段が第１の撮影ユニット１２を示し、下段が第２の撮影ユニット１４を示す。第１の撮影ユニット１２は、撮影レンズ１６、撮像回路５０、レンズ駆動装置５２、オート系検出部５３（ＡＥ検出手段、ＡＷＢ検出手段、ＡＦ検出手段に相当）、同期信号発生回路５４、メモリ５６、画像再生装置５７、接続検出手段５８及び制御ＣＰＵ（中央処理装置）６０等から成り、各回路はバス６２を介して接続されている。
【００１７】第２の撮影ユニット１４は、第１の撮影ユニット１２と同様に撮影レンズ２８、撮像回路６４、レンズ駆動装置６６、及びメモリ６８を有すると共に、映像信号のゲインを調整するゲイン調整回路７０、及び２つの撮像系から得られる画像の位置を調整する表示位置調整装置７２等を備えている。撮像回路５０、６４は、それぞれＣＣＤ、ＣＤＳ回路、ゲイン調整回路、Ａ／Ｄ変換器等を含む。撮影レンズ１６、２８を介してＣＣＤの受光面に結像した被写体像は、ＣＣＤにおいて光電変換され、映像信号として順次読み出される。ＣＣＤから読み出された映像信号はＣＤＳ回路で各画素毎にサンプリングホールドされ、図示せぬゲインコントロールアンプで増幅されたのち、Ａ／Ｄ変換器でＲ、Ｇ、Ｂの点順次のデジタル信号に変換されて出力される。」
「【００１９】制御ＣＰＵ６０は各回路を総括制御すると共に、レリーズボタン２０やモードダイヤル４２その他の操作部から入力される各種入力信号に基づいて、該当する回路を制御する。即ち、制御ＣＰＵ６０は、オート系検出部５３から通知されるＡＥ値に従って撮像系の絞り装置とＣＣＤの電子シャッター値を設定して露出制御を行い、オート系検出部５３から通知されるＡＷＢ値に従ってゲインコントロールアンプを制御してホワイトバランスを設定する。また、オート系検出部５３で検出したＡＦ値に従ってレンズ駆動装置５２を制御し、撮影レンズ１６のフォーカス位置を設定する。
【００２０】この制御ＣＰＵ６０は、画像処理ＣＰＵと兼用されており、撮像回路５０から出力される画像信号をメモリ５６の作業領域を利用して、輝度（Ｙ）信号生成、色差（Ｃ）信号生成、圧縮／伸長その他の画像信号処理を行う。画像再生装置５７は、撮像回路５０、６４から読みだされた画像信号に基づいて処理された画像データや、外部記憶装置２６から読み出された画像データ等をデコード化し、画像表示手段たる液晶モニター４０に供給する。こうして、ＣＣＤが捉えた映像がモニター４０の画面に表示されると共に、外部記憶装置２６に格納された画像データの再生表示が可能である。」
「【００２３】同期信号発生回路５４は、撮像回路５０、オート系検出部５３、及び画像処理回路等のタイミング信号を与えると共に、第２の撮影ユニット１４に対して信号処理の同期信号を与える。第２の撮影ユニット１４は、第１の撮影ユニット１２のオート系検出部５３で得たＡＥ、ＡＷＢ、ＡＦ情報に基づいて、制御ＣＰＵ７４によって撮像回路６４やレンズ駆動装置６６を制御する。また、制御ＣＰＵ７４は、第１の撮影ユニット１２から受入する情報に基づいて、第２の撮影ユニット１４の映像信号を第１の撮像ブロックの映像信号レベルに合わせるようにゲイン調整回路７０を制御する。なお、第２の撮影ユニット１４の制御ＣＰＵ７４を省略して、第１の撮影ユニット１２の制御ＣＰＵ６０を兼用することも可能である。」
「【００２５】表示位置調整装置７２は、第１の撮影ユニット１２の撮像系による撮影領域と、第２の撮影ユニット１４の撮像系による撮影領域のズレを補正するたの手段であって、撮像回路６４のＣＣＤの出力切り出し領域（位置）を変更し、同じ被写体に向けられた２つの光学系から取得される画面において最も近い被写体が重なり合うように、第２の撮影ユニット１４の表示位置（ＣＣＤの出力切り出し位置）を調整する。
【００２６】これは、第１の撮影ユニット１２の撮影光学系と、第２の撮影ユニット１４の撮影光学系とを合体させたとき、各ＣＣＤの取り付け位置の誤差等によって、両者の画像を完全に一致させることは困難であることに鑑み、第２の撮影ユニット１４側に両画像間のズレを調整する手段を設けたものである。具体的には、第１の撮影ユニット１２の撮像系で撮影した画像と、第２の撮影ユニット１４の撮像系で撮影した画像を液晶モニター４０上に重複させて表示しながら、十字キー４８を操作して、第２の撮影ユニット１４の撮像系の画像切出し位置（エリア）、角度を調整する。この表示位置調整装置７２で調整された調整量は、メモリ５６（又は制御ＣＰＵ６０の内部メモリ）に保存され、一度調整された状態を維持できるようになっている。」
「【００３１】更に、複数の撮影ユニットが連結された場合、連結されたユニット数に応じて、１回の撮影で取得される画像データの量が異なるので、連結された撮影ユニット数と、外部記憶装置２６のメモリ残量とに基づいて、撮影可能ショット数の表示を自動的に変更する手段を設けることが好ましい。図１に示した撮影装置１０の変形例として、図４のように、第２の撮影ユニット１４のレンズ部（撮像部）８２を水平面内で（必要に応じて上下方向にも）回動可能に支持し、レンズの画角に応じて回動角度を自動的に設定する手段（光軸角度可変手段に相当）を設けることが好ましい。かかる態様によれば、第１及び第２の撮影ユニット１２、１４で得られた画像を、カメラ内部の画像処理手段、又は外部の画像処理手段によって合成してパノラマ画像を得ることができる。
【００３２】また、第２の撮影ユニット１４のレンズ部８２を水平方向にスライド可能な構造とし、被写体までの距離に応じて第１及び第２撮影ユニット１２、１４のレンズ間隔を設定する手段（レンズ間隔可変手段に相当）を設けることが好ましい。図１でも説明したが、第２の撮影ユニット１４の側面にもジョイント穴３６、３６を形成したことにより、図５のように、更に第３の撮影ユニット８４を連結することができる。勿論、この第３の撮影ユニット８４にも同様のジョイント穴８５、８５、及び外部記憶装置用のスロット８６を形成することにより、図示せぬ第４の撮影ユニットを連結することができ、数に制限なく、自由に複数の撮影ユニットを接続することができる。」
「【００３５】第１の撮影ユニット１２に第２の撮影ユニット１４等複数の撮影ユニットを連結してた場合、立体モード、パノラマモード等の多様な用途に用いることができる。即ち、立体モードは、２つの撮影ユニットで、左眼用画像と右眼用画像とを同時に撮影し、視点の異なる２画像を得ることができる。パノラマモードは、第２の撮影ユニット１４の光軸を外側に傾けて設定し、第１の撮影ユニット１２と第２の撮影ユニット１４を同時撮影する。そして、２枚の画像を画像処理によってつなぎ合わせることにより、横方向に長いパノラマ画像を得る。
【００３６】パンフォーカスモードは、複数の撮影ユニットでそれぞれ異なるピント位置の画像を同時に取得し、それぞれの合焦領域を合成して画面の全域でピントが合った画像を得る。ダイナミックレンジ拡大モードは、複数の撮影ユニットで露出条件を変えて同時に撮影し、これらのデータを複合することにより、ダイナミックレンジの広い１枚の画像を合成する。特殊効果モードは、複数の撮影ユニットで同時撮影して得られた画像から奥行き分布情報を抽出し、奥行きの値に基づいて特定の距離以外の部分（例えば、背景に相当する部分）にボカシなどの特殊効果処理を与えて主被写体を強調する画像を得る。」
「【００３８】上述の各撮影モードで取得した画像データを記録する場合、ファイル合成モードと単独ファイルモードの２つの記録モードが用意されている。ファイル合成モードは、複数の撮影ユニットで同時に、又は一定の連続性を有する連動動作によって得られた一連の関連ファイル（画像データファイル）を１つの画像ファイルとして記録するモードである。」
「【００４４】上記実施の形態では、画像表示手段として液晶モニターを用いているが、画像表示手段の形態は液晶に限らず、ＥＬ（electro　luminescence）ディスプレイ、ＬＥＤ（light　emitting　diode）ディスプレイ、プラズマディスプレイなど、様々な形態が可能である。上記説明では、被写体を示す画像光をＣＣＤ等の撮像手段を用いて電気信号に変換し、電子映像を取得する装置（電子カメラ）を例に述べたが、本発明は、画像光を写真フイルムその他の感光材料に記録するカメラ（銀塩カメラ）を用いた撮影装置にも適用でき、静止画像を撮影する装置のみならず、ビデオカメラの如く、動画を撮影する装置にも適用できる。」
「【図４】
」
　
　ここで、上記記載を検討する。
　
　第一に、上記段落【０００１】【００４４】の記載からみて、引用例記載の発明は、立体映像やパノラマ画像を撮影する携帯に適した撮影装置（電子カメラ）である。したがって、引用例記載の発明は、立体映像やパノラマ画像を撮影する携帯に適した電子カメラ（撮影装置）に関するものである。
　第二に、上記段落【０００７】【０００９】【００１６】【００１７】の記載からみて、引用例記載の発明の電子カメラ（撮影装置）は、第１の撮影ユニット１２と、この第１の撮影ユニット１２に着脱自在に連結可能な第２の撮影ユニット１４とから成り、第１の撮影ユニット１２は、本体正面に撮影レンズ１６が配設され、撮影レンズ１６を介してＣＣＤの受光面に結像された画像光は、ＣＣＤによってその光量に応じた量の信号電荷に変換し、第２の撮影ユニット１４は、第１の撮影ユニット１２と同一仕様の撮影レンズ２８が設けられ、第１の撮影ユニット１２と同様にレンズの後方に固体撮像素子（ＣＣＤ）が配置されている。
　第三に、上記段落【００１９】【００２０】【００２３】の記載からみて、引用例記載の発明の電子カメラ（撮影装置）は、画像処理および各回路を総括制御する制御ＣＰＵ６０を備えている。
　第四に、上記段落【００２５】【００２６】の記載からみて、引用例記載の発明の電子カメラ（撮影装置）は、着脱自在に連結可能な第２の撮影ユニット１４を、第１の撮影ユニット１２に連結した際に、第１の撮影ユニット１２の撮像系で撮影した画像と、第２の撮影ユニット１４の撮像系で撮影した画像が重複するように、取り付け位置による両画像間のズレを調整する表示位置調整装置７２を有している。
　第五に、上記段落【００３１】【００３２】及び【図４】の記載からみて、引用例記載の発明の電子カメラ（撮影装置）は、第２の撮影ユニット１４を水平方向にスライド可能な構造として、第１及び第２撮影ユニット１２、１４のレンズ間隔を設定するレンズ間隔可変手段が設けられている。
　第六に、上記段落【００３５】【００３６】の記載からみて、引用例記載の発明の電子カメラ（撮影装置）において、第１撮影ユニット１２に第２撮影ユニット１４を連結した場合、立体モードでは、２つの撮影ユニットで、左眼用画像と右眼用画像とを同時に撮影し視点の異なる２画像を得ることができ、パノラマモードでは、第２の撮影ユニット１４の光軸を外側に傾けて設定し、第１の撮影ユニット１２と第２の撮影ユニット１４を同時撮影し、２枚の画像を画像処理によってつなぎ合わせることにより、横方向に長いパノラマ画像を得ることができ、パンフォーカスモードでは、複数の撮影ユニットでそれぞれ異なるピント位置の画像を同時に取得し、それぞれの合焦領域を合成して画面の全域でピントが合った画像を得ることができ、ダイナミックレンジ拡大モードは、複数の撮影ユニットで露出条件を変えて同時に撮影し、これらのデータを複合することにより、ダイナミックレンジの広い１枚の画像を合成することができる。
　第七に、上記段落【００３８】の記載からみて、引用例記載の発明の電子カメラ（撮影装置）は、複数の撮影ユニットで同時に得られた一連の関連ファイル（画像データファイル）を１つの画像ファイルとして記録するものである。
　
　以上のことから、引用例には以下の発明（以下「引用発明」という。)が記載されている。
　
「立体映像やパノラマ画像を撮影する携帯に適した電子カメラであって、
　第１の撮影ユニットと、この第１の撮影ユニットに着脱自在に連結可能な第２の撮影ユニットとから成り、
　第１の撮影ユニットは、本体正面に撮影レンズが配設され、撮影レンズを介してＣＣＤの受光面に結像された画像光は、ＣＣＤによってその光量に応じた量の信号電荷に変換し、
　第２の撮影ユニットは、第１の撮影ユニットと同一仕様の撮影レンズが設けられ、第１の撮影ユニットと同様にレンズの後方に固体撮像素子（ＣＣＤ）が配置され、
　第２の撮影ユニットを、第１の撮影ユニットに連結した際に、第１の撮影ユニットの撮像系で撮影した画像と、第２の撮影ユニットの撮像系で撮影した画像が重複するように、取り付け位置による両画像間のズレを調整する表示位置調整装置を有し、
　第２の撮影ユニットを、第１の撮影ユニットに連結し、連結した第１及び第２撮影ユニットのレンズ間隔を設定するレンズ間隔可変手段が設けられ、
　画像処理および各回路を総括制御する制御ＣＰＵを備え、
　第１撮影ユニットに第２撮影ユニットを連結した場合、
　立体モードでは、２つの撮影ユニットで、左眼用画像と右眼用画像とを同時に撮影し、視点の異なる２画像を得ることができ、
　パノラマモードでは、第２の撮影ユニットの光軸を外側に傾けて設定し、第１の撮影ユニットと第２の撮影ユニットを同時撮影し、２枚の画像を画像処理によってつなぎ合わせることにより、横方向に長いパノラマ画像を得ることができ、
　パンフォーカスモードでは、複数の撮影ユニットでそれぞれ異なるピント位置の画像を同時に取得し、それぞれの合焦領域を合成して画面の全域でピントが合った画像を得ることができ、
　ダイナミックレンジ拡大モードは、複数の撮影ユニットで露出条件を変えて同時に撮影し、これらのデータを複合することにより、ダイナミックレンジの広い１枚の画像を合成することができ、
　複数の撮影ユニットで同時に得られた一連の関連ファイル（画像データファイル）を１つの画像ファイルとして記録する、
電子カメラ」
　
４．対比
　本願発明と引用発明を対比する。
　
[電子モバイルデバイス]
　引用発明の「電子カメラ」は、立体映像やパノラマ画像を撮影する携帯に適したものであるから、以下で検討する相違点を除くと、上記本願発明の「電子モバイルデバイス」に対応する。
　
[画像取得のための前記電子モバイルデバイス内の第１の手段]
　引用発明のデジタル電子カメラは、第１の撮影ユニットに連結される第２の撮影ユニットとから成り、第１の撮影ユニットは、撮影レンズを介してＣＣＤの受光面に結像された画像光は、ＣＣＤによってその光量に応じた量の信号電荷に変換されるから、第１の撮影ユニットにおける「撮影レンズ及びＣＣＤ」は、上記本願発明の「第１の手段」に相当する。
　
[画像取得のための前記電子モバイルデバイス内の第２の手段]
　引用発明のデジタル電子カメラは、第１の撮影ユニットに連結される第２の撮影ユニットとから成り、第２の撮影ユニットは、第１の撮影ユニットと同一仕様の撮影レンズが設けられ、第１の撮影ユニットと同様にレンズの後方に固体撮像素子（ＣＣＤ）が配置されるから、第２の撮影ユニットにおける「撮影レンズ及びＣＣＤ」は、上記本願発明の「第２の手段」に相当する。
　
[ここにおいて、前記第２の手段は、前記第１の手段から第１の距離に配置されており、前記第２の手段は、前記第１の手段から第２の距離に配置されるように、前記第１の手段に対する位置を変更するように構成され、ここにおいて、前記第１の距離は前記第２の距離とは異なり]
　まず、引用発明は、第２の撮影ユニットを、第１の撮影ユニットに連結し、連結した第１及び第２撮影ユニットのレンズ間隔を設定するレンズ間隔可変手段を有するものである。
　また、引用発明の電子カメラは、立体モード、パノラマモード、パンフォーカスモード、ダイナミック拡大レンジモードのような各種のモードでの撮影ができるもので、パンフォーカスモードでは、複数の撮影ユニットでそれぞれ異なるピント位置の画像を同時に取得し、それぞれの合焦領域を合成して画面の全域でピントが合った画像を得るもの、ダイナミックレンジ拡大モードは、複数の撮影ユニットで露出条件を変えて同時に撮影し、これらのデータを複合することにより、ダイナミックレンジの広い１枚の画像を合成することができるものであるが、これら２つのモードは、その目的からみて、複数の撮影ユニットで撮影された画像は同一の視点からのものである必要があり、このことは、引用発明の電子カメラが有する、第１の撮影ユニットの撮像系で撮影した画像と、第２の撮影ユニットの撮像系で撮影した画像が重複するように、取り付け位置による両画像間のズレを調整する表示位置調整装置にて実現されているものと認められる。
　ここで、この表示位置調整装置による両画像間のズレの調整は、あくまでも画像データ上で擬似的に行われるものであるから、調整される前の両画像間のズレがより小さい方が良いこと明らかであることからみて、これら、パンフォーカスモード、ダイナミック拡大レンジモードで撮影を行う時には、レンズ間隔可変手段で設定される第１及び第２撮影ユニットのレンズ間隔は、最小間隔とされているものとみることができる。
　これに対し、立体モードでは、引用発明の電子カメラは、２つの撮影ユニットで、左眼用画像と右眼用画像とを同時に撮影し、視点の異なる２画像を得る立体映像を撮影するものであって、このような立体映像を撮影する時のカメラの間隔(ステレオベース)は、人間の右目と左目の間隔に相当する間隔と設定することが好ましいことが極めて良く知られていることを前提とすると、この立体モードにおいては、レンズ間隔可変手段で設定される第１及び第２撮影ユニットのレンズ間隔は、上記最小間隔から人間の右目と左目の間隔に相当する間隔を更に広げたものであるとみることができる。
　すなわち、引用発明の「最小距離」は、上記本願発明の「第１の距離」に相当し、また、引用発明の「最小間隔から人間の右目と左目の間隔に相当する間隔を更に広げたもの」は、上記本願発明の「第２の距離」に相当するから、結局、引用発明の「第２の撮影ユニットを、第１の撮影ユニットに連結し、連結した第１及び第２撮影ユニットのレンズ間隔を設定するレンズ間隔可変手段」は、本願発明の「ここにおいて、前記第２の手段は、前記第１の手段から第１の距離に配置されており、前記第２の手段は、前記第１の手段から第２の距離に配置されるように、前記第１の手段に対する位置を変更するように構成され、ここにおいて、前記第１の距離は前記第２の距離とは異なり」と同様の機能を有している。
　
[前記第２の
手段
　請求項１０の「頻繁」という用語について、その意味を、本願の明細書の記載にもとづいて検討する。本願の明細書には、直接「頻繁」という用語をの意味を明示的に定義する記載はなく、また、「頻繁」という用語も、その段落【００１７】に存在するのみであるが、それを含めて本願の明細書には以下の記載がある。
　
「【０００１】
  本願は、一般にモバイルデバイスに関し、特に、デュアルデジタルカメラセンサを備えたモバイルデバイスと、その使用方法とに関する。」
「【００１６】
    （センサの更なる詳細）  
  ２つの別々のセンサ１０２、１０４を備えるモバイルデバイス１００の設計又は特徴が以下で説明される。センサ１０２、１０４は、２つの局面を有することができる。第１に、センサ位置コントローラ１０６は、例えばセンサ１０２、１０４を１つ又は複数の方向に回転、シフト、又はスライドして、２つのセンサ１０２、１０４の場所及び／又は位置を調整することができる。移動のいくつかの例は図１に示されるが、その他の２次元（２−Ｄ）又は３次元（３−Ｄ）移動も実現することができる。この移動は、ユーザ及び／又はカメラコントローラ１１８によって設定されることができる。調整可能センサ１０２、１０４は、例えば画像品質の改善、３−Ｄ画像及びビデオの視覚化、及び３６０度パノラマビデオの生成のような多くの高度な機能を可能とすることができる。」
「【００１７】
  この移動は、ある期間固定されるか、あるいは頻繁に変えることができる。１つの構成において、デバイス１００は、直線、三角形、円形、又はその他の形状に配置された２つより多くのセンサを備える。この構成において、デバイス１００は、何れのセンサも動かさず、あるセンサをアクティブ化し、他のセンサを非アクティブ化することができる。この構成は、センサを動かすことから生じる問題を回避することができる。」
「【００２３】
    （調整可能なセンサ位置）  
  センサ１０２、１０４において３つの位置又は場所が可能であり、それによって柔軟性を提供し、高度な機能を可能とする。」
「【００２４】
  ２つのセンサ１０２、１０４は、互いに非常に接近して位置づけることができる。２つのセンサ１０２、１０４が実質的に同じビューポートを標的とする場合、すなわちセンサ１０２と１０４との間の距離が理論上ゼロに接近する場合、取得した画像及び／又はビデオの品質は非常に向上しうる。取得した画像をシフトさせ、１つに併合するために、調整アルゴリズムを用いることができる。」
「【００２５】
  特に微光環境にとって、ランダム画像ノイズが問題となりうる。２つのセンサ１０２、１０４を用いた受信ダイバーシチは、露光時間の制約や、時間ダイバーシチによるオーバラップした画像ブラーリングなしにセンサノイズを低減するための良好な解決策となりうる。２つのセンサ１０２、１０４は、２つのセンサ１０２、１０４の取得シーン間の差異を低減するために、互いに接近して配置することができる。センサノイズ分布は独立しており、同じ分散を有する。２つのセンサ１０２、１０４からの２つの処理画像の合成後、信号対雑音比（ＳＮＲ）が以下のように計算されうる。」
「【数１】
【００２６】
ここで、Ｓ１及びＳ２は、それぞれセンサ１０２及びセンサ１０４から取得された画像の信号であり、ｖａｒ（Ｎ１）及びｖａｒ（Ｎ２）は、それぞれセンサ１０２及びセンサ１０４からのセンサノイズ画像分散である。ＳＮＲは、２つのセンサの画像又はビデオの合成後、３デシベル（ｄＢ）改善されることができる。」
「【００２７】
    （画像及びビデオダイナミックレンジエンハンスメント）  
  センサダイナミックレンジは、低コストのカメラセンサにとって重要な問題となりうる。画像ダイナミックレンジを増加させるために、２つのセンサ１０２、１０４の露光時間は、それぞれ強光シーンと微光シーンとを取得するように異なる値に設定することができる。２つのセンサ１０２、１０４は、２つのセンサ１０２と１０４との間の差異を低減するために接近して配置することができる。例えば、もしセンサ１０４の露光時間がセンサ１０２の露光時間の２倍であれば、合成した画像ダイナミックレンジは２倍にすることができる。」
「【００２８】
  図３Ａ乃至３Ｃは、ダイナミックレンジの改善例を示す。図３Ａは、第１のセンサ１０２によって取得された短露光時間画像の例を示す。図３Ｂは、第２のセンサ１０４によって取得された長露光時間画像の例を示す。図３Ｃは、図３Ａ及び図３Ｂからの合成画像の例であり、ダイナミックレンジが改善された例である。」
「【００２９】
    （短い距離を置いて配置された２つのセンサ）    
  デバイス１００は、立体画像及びビデオを取得及び生成することができる。センサ１０２、１０４が約６センチメートル（ｃｍ）の距離を置いて配置された場合、デバイス１００は、深度知覚を有する人間の視覚系を模擬するために、左眼の視界と右眼の視界とを取得することができる。６ｃｍは、人間の左目と右目との間の距離にほぼ等しい。取得した画像は、立体視表示のためにアナグリフ画像を生成するように構成することができるか、あるいは自動立体視表示で直接視覚化することができる。」
　
　ここで、本願明細書の上記段落【００１６】の「２つのセンサ１０２、１０４の場所及び／又は位置を調整することができる。移動のいくつかの例は図１に示されるが、その他の２次元（２−Ｄ）又は３次元（３−Ｄ）移動も実現することができる。この移動は、ユーザ及び／又はカメラコントローラ１１８によって設定されることができる。」、「調整可能センサ１０２、１０４は、例えば画像品質の改善、３−Ｄ画像及びビデオの視覚化、及び３６０度パノラマビデオの生成のような多くの高度な機能を可能とすることができる」との記載、上記段落【００２３】〜【００２９】の記載からは「２つのセンサ１０２、１０４を用いた受信ダイバーシチ、ないし、画像及びビデオダイナミックレンジエンハンスメントを行うときは、２つのセンサ１０２、１０４を互いに非常に接近して位置づけ、立体画像及びビデオを取得及び生成するときには、センサ１０２、１０４が約６センチメートル（ｃｍ）の距離を置いて配置するように、２つのセンサ１０２、１０４の場所及び／又は位置を調整する」こと、すなわち、これら「受信ダイバーシチ」「画像及びビデオダイナミックレンジエンハンスメント」「立体画像及びビデオを取得及び生成」というような撮影モードを選択すると、それに合わせて「２つのセンサ１０２、１０４を互いに非常に接近して位置づけ」たり、「センサ１０２、１０４が約６センチメートル（ｃｍ）の距離を置いて配置」したりすることを読み取ることができる。
　次に、本願明細書の上記段落【０００１】に記載されるように本願明細書に記載された発明が「デュアルデジタルカメラセンサを備えたモバイルデバイス」であることを前提とすると、これら「受信ダイバーシチ」「画像及びビデオダイナミックレンジエンハンスメント」「立体画像及びビデオを取得及び生成」というような撮影モードは、「デュアルデジタルカメラセンサを備えたモバイルデバイス」を用いる撮影者の意志に応じて設定されるものことは明らかである。
　そうすると、これら二つから、本願明細書段落【０００１】【００１６】【００２３】〜【００２９】には「デュアルデジタルカメラセンサを備えたモバイルデバイス」を用いる撮影者がこれら撮影モードのいずれを選択するかという意志に応じて、「２つのセンサ１０２、１０４を互いに非常に接近して位置づけ」るか、「センサ１０２、１０４が約６センチメートル（ｃｍ）の距離を置いて配置」することが、記載されているということができる。
　
　これに対し、上記段落【００１７】には「この移動は、ある期間固定されるか、あるいは
頻繁に
頻繁に
頻繁に
　
　そして、本願明細書段落【０００１】【００１６】【００２３】〜【００２９】に記載されていると認められる「デュアルデジタルカメラセンサを備えたモバイルデバイスを用いる撮影者がこれら撮影モードのいずれを選択するかという意志に応じて、２つのセンサ１０２、１０４を互いに非常に接近して位置づけるか、センサ１０２、１０４が約６センチメートル（ｃｍ）の距離を置いて配置すること」と、本願明細書段落【００１６】【００１７】に記載されていると認められる「２つのセンサ１０２、１０４の場所及び／又は位置は、ある期間固定されるか、あるいは
頻繁に
頻繁に
頻繁に
頻繁に
　
　これに対し、引用発明の電子カメラは、立体モード、パノラマモード、パンフォーカスモード、ダイナミック拡大レンジモードのような各種のモードでの撮影ができるものであり、パンフォーカスモード、ダイナミック拡大レンジモードで撮影を行う時には、レンズ間隔可変手段で第１及び第２撮影ユニットのレンズ間隔を最小間隔に設定し、立体モードで撮影を行う時には、レンズ間隔可変手段で第１及び第２撮影ユニットのレンズ間隔を上記最小間隔から人間の右目と左目の間隔に相当する間隔を更に広げたものに設定するものであるから、これらのモードの間でモード変更することに応じて第２撮影ユニットの位置を調整するものであるといえ、また、引用発明においても、これらモードは撮影者の意志に応じて変更されるものであるから、結局、引用発明の電子カメラにおいても、第２撮影ユニットの位置を、上記した意味で「頻繁に変えることができる」ものであると認めることができる。
　すなわち、引用発明の「第２撮影ユニット」と本願発明の「第２の手段」は、いずれも「位置は頻繁に変更される」ものである点で一致している。
　
[前記第１の手段に対する前記第２の手段の位置の変更を制御する手段]
　引用発明の「レンズ間隔を設定するレンズ間隔可変手段」は、第２の撮影ユニットにおける撮影レンズ及びＣＣＤの位置を変更するものといえるから、上記本願発明の「位置の変更を制御する手段」に対応するが、本願発明においては、位置の変更を「制御」するのに対して、引用発明においては、位置の変更を「制御」するとはしていない点で相違する。
　
[前記第１の手段によって取得された第１の画像と、前記第２の手段によって取得された第２の画像とを処理し合成する手段]
　引用発明は「複数の撮影ユニットで同時に得られた一連の関連ファイル（画像データファイル）を１つの画像ファイルとして記録する」ものであるから、上記本願発明の「合成する手段」に相当する部分を有している。
　
　したがって、本願発明と引用発明との一致点、相違点は次のとおりであると認められる。
　
[一致点]
「電子モバイルデバイスであって、
　画像取得のための前記電子モバイルデバイス内の第１の手段と、
　画像取得のための前記電子モバイルデバイス内の第２の手段と、ここにおいて、前記第２の手段は、前記第１の手段から第１の距離に配置されており、前記第２の手段は、前記第１の手段から第２の距離に配置されるように、前記第１の手段に対する位置を変更するように構成され、ここにおいて、前記第１の距離は前記第２の距離とは異なり、前記第２の
手段
　前記第１の手段に対する前記第２の手段の位置を変更する手段と、
　前記第１の手段によって取得された第１の画像と、前記第２の手段によって取得された第２の画像とを処理し合成する手段と
を備える電子モバイルデバイス」
　
[相違点]
　本願発明と引用発明とは、次の点で相違する。
　
『上記「位置を変更する手段」が、本願発明においては、位置の変更を「制御」する手段であるのに対して、引用発明においては、位置を変更するが、位置の変更を「制御」するとはしていない点』
　
５．判断
　上記相違点について検討する。
　引用例の段落【００３１】には、合成してパノラマ画像を得る場合に、第２撮像ユニットにおけるレンズ部（撮像部）を回転可能に支持し、回転角度を自動的に設定する手段を設けることが記載されており、立体モードにおいても同様の自動化を行おうとすることは当業者が自然に考えつくことであるから、引用発明におけるレンズ間隔を設定するレンズ間隔可変手段においても、自動的にレンズ間隔を設定するとすることは、当業者が容易に想到できることである。
　したがって、上記「位置を変更する手段」を、位置の変更を「制御」する手段とすることは、当業者が容易になし得ることである。
　
　以上判断したとおり、本願発明の引用発明に対する相違点は当業者が容易に想到し得たといえるものであり、また、本願発明の効果についてみても、当業者が当然に予測し得る程度のものにすぎず、格別顕著なものがあるとはいえない。
　
６．むすび
　以上のとおり、本願発明は、引用例に記載された発明に基づいて当業者が容易に発明をすることができたものであるから、特許法第２９条第２項の規定により特許を受けることができない。
　
　したがって、本願は他の請求項に係る発明について特に検討するまでもなく拒絶されるべきものである。
　
　よって、結論のとおり審決する。